(57)【要約】      （修正有）【課題】スポーツスタジアムなどで屋外観戦座布団としての使用中、不意の降雨時にレインコートや防寒着としても使用することのできる座布団を提供する。【解決手段】クッション用素材とクッション用素材を内包するカバー１０とを備える。カバー１０が、展開折畳み可能なカバー素材１１と、カバー素材１１を折り畳んだときにその合わせ縁部を閉じ合わせるファスナーと、を備える。クッション用素材は、カバー素材１１に折り重ね状態で収容されてクッション性を発揮する柔軟な生地素材３０でなる。生地素材３０はレインコートや防寒着などの衣服の形状に作られている。カバー素材１１は、シート素材３０ａを着用したときの着用者の臀部に対応する箇所に接合されている。【選択図】図３
0003170510.tif 000002
【実用新案登録請求の範囲】
【請求項１】
クッション用素材とこのクッション用素材を内包するカバーとを備える座布団において、
上記カバーが、平坦形状と二つ折り形状との間で展開折畳み可能に形成されたカバー素材と、このカバー素材を二つ折り形状に折り畳んだときにその合わせ縁部を閉じ合わせ、その折畳み状態から平坦形状に展開するときにその合わせ縁部を開放するための開閉用部材と、を備え、
上記クッション用素材が、折畳み状態の上記カバー素材に折り重ね状態で収容されてクッション性を発揮し、展開状態の上記カバー素材から引き出されて展開されることにより衣服として着用可能な柔軟な生地素材で形成され、上記カバー素材は、それ自体がクッション性を備えていると共に、上記生地素材を衣服として着用したときの着用者の臀部に対応する箇所に、平坦形状に展開された状態で接合されていることを特徴とする座布団。
【請求項２】
上記生地素材がシート素材であると共に、上記衣服がレインコートである請求項１に記載した座布団。
【請求項３】
上記生地素材がフリース素材であると共に、上記衣服が防寒着である請求項１に記載した座布団。
【請求項４】
上記開閉用部材がファスナーである請求項１ないし請求項３のいずれか１項に記載した座布団。
【請求項５】
上記カバー素材に、手提げ用のベルトが設けられている請求項１ないし請求項４のいずれか１項に記載した座布団。
【考案の詳細な説明】
【技術分野】
【０００１】
本考案は、座布団、詳しくは、スポーツスタジアムなどで屋外観戦をするときや屋外の公園で座るときなどに利用される座布団に関する。特に、座布団に用いられているクッション用素材を、雨除けのためのレインコート、或いは防寒着として使用することができるようにした座布団に関する。
【背景技術】
【０００２】
従来、座布団にベルトを設けておき、そのベルトを腰に巻いて座布団を臀部に当てがうようにして携行する携帯座布団が提案されていた（たとえば、特許文献１参照）。また、注入口より空気を吹き込んで膨らませると、口当て部を備えるメガホンが形成され、注入口から空気を排出することにより小さく折り畳むことのできるメガホンも提案されていた（たとえば、特許文献２参照）。そして、この特許文献２によって提案されているメガホンは、膨らんでメガホンの形状に保形されている状態から、空気を抜かずに偏平に押し潰すことによって座布団として使用することが可能であるとされている。
【０００３】
ところで、野球やサッカーなどの種々のスポーツをスタジアムで観戦するとき、スタジアムに設置されている椅子はプラスチック製や木製であり、長時間に亘って座っていると、臀部が痛くなりやすかったり疲れやすかったりする。そのため、観戦者は、持参した座布団を椅子に敷いて使うことがある。
【０００４】
また、スポーツなどをスタジアムで観戦中に、雨に降られることは多々起こり得ることである。そのため、観戦者は、折畳み傘やレインコートを持参して不意の降雨に備えていることがある。
【０００５】
さらに、スポーツなどをスタジアムで観戦中に、春先など急激に気温が下がるときがあり、そのため、スポーツなどをスタジアムで観戦する観戦者は、予め防寒着を持参して気温の急激な変化に備えていることがある。
【先行技術文献】
【特許文献】
【０００６】
【特許文献１】特開平９−１８７３５０号公報
【特許文献２】特開２００１−２８２２４８号公報
【考案の概要】
【考案が解決しようとする課題】
【０００７】
しかしながら、観戦者が、スポーツ観戦に際して折畳み傘やレインコート、或いは防寒着を持参したり、座布団を持参したりすることは煩わしい。また、それらを持参すると、観戦者にとっての持ち物の数が多くなり、それだけ置き忘れてしまうという懸念も増大する。
【０００８】
本考案は、上記の事情に鑑みてなされたものであり、座布団としての使用中に不意の降雨時にレインコートとして使用することのできる対策を講じた座布団を提供することを目的とする。
【０００９】
また、本考案は、座布団としての使用中に防寒着としても使用することのできる対策を講じた座布団を提供することを目的とする。
【００１０】
さらに、本考案は、不意の降雨時にレインコートとして使用、或いは防寒着として使用するときにおいても、座布団としての機能も発揮できる対策を講じた座布団を提供することを目的とする。
【課題を解決するための手段】
【００１１】
本考案に係る座布団は、クッション用素材とこのクッション用素材を内包するカバーとを備えている。そして、上記カバーが、平坦形状と二つ折り形状との間で展開折畳み可能に形成されたカバー素材と、このカバー素材を二つ折り形状に折り畳んだときにその合わせ縁部を閉じ合わせ、その折畳み状態から平坦形状に展開するときにその合わせ縁部を開放するための開閉用部材と、を備えている。また、上記クッション用素材が、折畳み状態の上記カバー素材に折り重ね状態で収容されてクッション性を発揮し、展開状態の上記生地素材から引き出されて展開されることにより衣服として使用可能な柔軟な生地素材で形成され、上記カバー素材は、それ自体がクッション性を備えていると共に、上記生地素材を衣服として着用したときの着用者の臀部に対応する箇所に、平坦形状に展開された状態で接合されている。
【００１２】
このように構成された座布団は、二つ折り形状に折り畳んだカバー素材の間に折り重ね状態の柔軟な生地素材を挟み込んだ状態に収容させて、そのカバー素材の合わせ縁部を開閉用部材によって閉じ合わせておくと、本来の用途である座布団として使用することが可能である。そして、使用に際しては、カバー素材に折り重ね状態で収容されている柔軟な生地素材がクッション用素材として機能するので、座布団に要求されるクッション性も得られる。
【００１３】
その一方で、開閉用部材によってカバー素材の合わせ縁部を開放してそのカバー素材を平坦形状に展開することとを併せて、クッション用素材としての柔軟な生地素材を、展開状態のカバー素材から引き出して展開すると、衣服として着用することが可能になる。
【００１４】
また、上記カバー素材は、上記生地素材を衣服として着用したときの着用者の臀部に対応する箇所に、平坦形状に展開された状態で接合されていることから、生地素材を衣服として着用したときでも、カバー素材が着用者の臀部を覆うように位置することになる。そのため、衣服の着用者は、その衣服を着用したままカバー素材の上に座ることができるようになる。
【００１５】
そして、上記カバー素材は、それ自体がクッション性を備えていることから、クッション用素材としての柔軟な生地素材を衣服として使用しているときでも、カバー素材自体のクッション性を利用して座布団としての機能を発揮させることが可能である。
【００１６】
本考案において、上記生地素材がシート素材であると共に、上記衣服がレインコートであるとしても良い。その場合、スポーツ観戦に際して不意の降雨があってもそのシート素材をレインコートとして着用することができ、不意の降雨に備えることが可能になる。
【００１７】
本考案において、上記生地素材がフリース素材であると共に、上記衣服が防寒着であるとしても良い。その場合、スポーツ観戦に際して急激に気温が下がってもそのフリース素材を防寒着として着用することができ、急激に気温の低下に備えることが可能になる。
【００１８】
本考案においては、上記開閉用部材がファスナーである、という構成を採用することが可能である。ここでいう「ファスナー」には、多数の係合爪同士をスライダーの操作により係合させたり係合解除させたりすることのできる機械的構造を備えた汎用的な所謂「チャック」と呼ばれるものが含まれることは勿論、繊維でなるループとそのループに係脱可能な繊維でなる鉤とを備える所謂「面状ファスナー」であってもよい。さらに、ホックやボタンを利用したものであってもよい。
【００１９】
本考案においては、上記カバー素材に手提げ用のベルトを設けることが可能である。カバー素材に手提げ用のベルトを設けた場合、本考案座布団を持ち運びしたり、携行する場合に便利である。
【考案の効果】
【００２０】
以上のように、本考案に係る座布団は、クッション性を備えた座布団としての機能のみを利用することも、座布団としての機能と衣服、例えばレインコートや、防寒具としての機能とを同時に利用することも可能である。しかも、持ち運ぶときには、衣服として使用することのできる柔軟な生地素材をカバー素材にクッション用素材として収容しておくことが可能であるので、見掛け上の持ち運びの形態は座布団を持ち運ぶときのそれと同様にコンパクトな形態になるという利点がある。また、そのため、従来のように座布団や折畳み傘、レインコート、防寒具などを別々に持ち運ぶ煩わしさがなくなり、それだけ持ち物の数が少なく抑えられるようになる。また、持ち物の数が減って置き忘れの懸念も少なくなる。
【図面の簡単な説明】
【００２１】
【図１】本考案に係る座布団の外観形状を例示した斜視図である。
【図２】生地素材に接合されたカバー素材を示す背面図である。
【図３】シート素材を展開することにより形作られたレインコートの背面図である。
【図４】使用状態説明図である。
【図５】シート素材をカバー素材に収容させる手順の一例を示した説明図である。
【考案を実施するための形態】
【００２２】
図１は本考案に係る座布団の外観形状を例示した斜視図、図２はクッション用素材としての生地素材に接合されたカバー素材を示す背面図、図３はシート素材を展開することにより形作られたレインコートの背面図、図４は使用状態説明図である。また、図５はシート素材をカバー素材に収容させる手順の一例を示した説明図である。
【００２３】
図１に示した座布団Ａは、手提げカバンと同等の大きさに形作られていて、そのカバー１０に手提げ用のベルト２０が設けられている。
【００２４】
図２のように、カバー１０は、横長の略矩形に形作られたカバー素材１１を有し、そのカバー素材１１の外周囲が柔軟性に富む生地素材３０に接合されている。この実施形態では、カバー素材１１と生地素材３０との接合を縫着によって行っているけれども、両者の接合は、粘着テープや接着剤などの他の手段によってもよい。
カバー素材１１は、その２つの長辺部の中央部に凹み箇所１２，１２を具備させることによって、横長方向の中央部１３で二つ折り形状に折り畳むことができるようになっている。また、カバー素材１１には、ファスナー１４でなる開閉用部材が縫着されている。図例のファスナー１４は、カバー素材１１の横長方向の中央部を境にしてその片側部分の外周囲に設けられた係合爪列１４ａと、その他側部分の外周囲に設けられた係合爪列と、それらの係合爪列１４ａ，１４ｂ同士を係合させたり係合解除させたりするためのスライダー１４ｃとを備えている。すなわち、図例のファスナー１４は、機械的構造を備えた汎用的な所謂「チャック」と呼ばれるものである。
【００２５】
生地素材３０はクッション用部材として採用されている。この生地素材３０は、折り重ね状態に折り畳んでそのサイズを小さくすることによって、二つ折り形状に折り畳んだカバー素材１１の間に収容することができるようになっている。そして、図５のように、折り重ね状態に折り畳んだ生地素材３０を、二つ折り形状に折り畳んだカバー素材１１の間に収容した後、ファスナー１４（図１、図２参照）のスライダー１４ｃをスライド操作すると、生地素材３０が折り重ね状態で二つ折り形状のカバー素材１１の間に収容され、カバー素材１１は図１のようにその合わせ縁部がファスナー１４によって矢印で示したように閉じ合わされてカバー１０が偏平に保形される。
【００２６】
生地素材３０を折り重ね状態にして二つ折り形状のカバー素材１１の間に収容し、そのカバー素材１１の合わせ縁部をファスナー１４によって閉じ合わせると、図１によって類推することができるように、生地素材３０でなるクッション用部材がカバー素材１１に収容されてなる偏平な座布団Ａが形作られる。この座布団Ａでは、その内部の折り重ね状態の柔軟な生地素材３０が弾性復元作用を発揮してクッション用部材として機能する。そのため、この座布団Ａをスタジアムなどの椅子の上に敷いてその上に座ると、座布団Ａによって発揮されるクッション性によって臀部の痛さや疲れが軽減される。
【００２７】
クッション用素材として利用されている柔軟な生地素材３０は、柔軟なシート素材、或いは柔軟なフリース素材など、折畳み状態の上記カバー素材に折り重ね状態で収容されてクッション性を発揮し、展開状態の上記カバー素材から引き出されて展開されることにより衣服として着用可能な柔軟な生地素材３０である。
図３又は図４においては、この柔軟な生地素材３０をシート素材３０ａとしレインコートの形状に作られている。そのため、スライダー１４ｃをスライド操作してファスナー１４を開き、カバー素材１１の合わせ縁部を開放してカバー素材１１を平坦に展開し、その状態でカバー素材１１からシート素材３０ａを引き出して展開することにより、シート素材３０ａを図３又は図４に示したようにレインコートとして使用することが可能になる。図例のシート素材３０ａによって製作されているレインコートは、着用者の胴体や上下肢を覆うコート本体部４１や着用者の頭部を覆うフード部４２を備えているけれども、シート素材３０ａによって製作されるレインコートの構成やデザインは図例に限定されないことは勿論である。
同様に、この柔軟なシート素材３０ａ（生地素材３０）をフリース素材とし防寒着として作ることも可能であり、フリース素材によって製作される防寒着の構成やデザインは限定されない。
【００２８】
この実施形態において、カバー素材１１は、それ自体がクッション性を備えている。このようなカバー素材１１は、たとえばカバー素材１１に表地と裏地とを具備させると共に、それらの表地と裏地との相互間に肉薄のクッション材を挟み込むことによって容易に得られる。また、カバー素材１１を、厚手のクッション性を備えた素地で形成することによっても容易に得られる。
【００２９】
また、この実施形態では、図３のように、カバー素材１１が、シート素材３０ａをレインコートとして着用したときの着用者Ｍの臀部に対応する箇所の表側に、平坦形状に展開された状態で縫着その他の適宜手段を用いて接合されている。このようにしておくと、図４のように、カバー素材１１を平坦に展開してシート素材３０ａをレインコートとして着用したまま、椅子Ｃの上で展開状態のカバー素材１１を敷いて座ることが可能になる。したがって、着用者は、クッション性を発揮するカバー素材１１自体の上に腰掛けて、不意の降雨に濡れることを避けられる。尚、本実施形態ではカバー素材１１を、シート素材３０ａをレインコートとして着用したときの着用者Ｍの臀部に対応する箇所の表側に接合した例を挙げているが、カバー素材１１を、シート素材３０ａをレインコートとして着用したときの着用者Ｍの臀部に対応する箇所の裏側に接合しても良く、その場合には、カバー素材１１はレインコートの内側に位置することとなるから、シート素材３０ａをレインコートとして着用した状態において、他人からカバー素材１１が見えることはないし、また、カバー素材１１自体も雨に濡れることはない。
【００３０】
さらに、この実施形態では、図３に示したように、カバー素材１１にポケット５１を具備させてある。このポケット５１には、携帯カイロを入れておくことができる。そのため、気温の低いときには、その携帯カイロで使用者の身体が温められるという利点がある。このような使用形態は、シート素材３０ａをカバー素材１１に内包させて座布団Ａとして使用するときに限らず、図４に示したようなシート素材３０ａをレインコートとして使用して、展開したカバー素材１１を座布団として使用するときにも有益である。
【００３１】
上記実施形態において、シート素材３０ａには、レインコートに適した防水性又は撥水性を発揮する生地が用いられ、カバー素材１１には防水処理が施されている。
【符号の説明】
【００３２】
Ａ  座布団
Ｍ  レインコートの着用者
１０  カバー
１１  カバー素材
１４  ファスナー（開閉用部材）
３０  生地素材
３０ａ  シート素材
【図１】
0003170510.tif 000003
【図２】
0003170510.tif 000004
【図３】
0003170510.tif 000005
【図４】
0003170510.tif 000006
【図５】
0003170510.tif 000007
【手続補正書】
【提出日】平成23年7月12日(2011.7.12)
【手続補正１】
【補正対象書類名】実用新案登録請求の範囲
【補正対象項目名】全文
【補正方法】変更
【補正の内容】
【実用新案登録請求の範囲】
【請求項１】
クッション用素材とこのクッション用素材を内包するカバーとを備える座布団において、
上記カバーが、平坦形状と二つ折り形状との間で展開折畳み可能に形成されたカバー素材と、このカバー素材を二つ折り形状に折り畳んだときにその合わせ縁部を閉じ合わせ、その折畳み状態から平坦形状に展開するときにその合わせ縁部を開放するための開閉用部材と、を備え、
上記クッション用素材が、折畳み状態の上記カバー素材に折り重ね状態で収容されてクッション性を発揮する柔軟な生地素材で形成されていて、その生地素材が、衣服としての構造を有して、展開状態の上記カバー素材から引き出されて展開されることにより衣服として着用可能であり、
上記カバー素材は、それ自体がクッション性を備えていると共に、上記生地素材を衣服として着用したときの着用者の臀部に対応する箇所に、平坦形状に展開された状態で接合されていることを特徴とする座布団。
【請求項２】
上記生地素材がシート素材であると共に、上記衣服がレインコートである請求項１に記載した座布団。
【請求項３】
上記生地素材がフリース素材であると共に、上記衣服が防寒着である請求項１に記載した座布団。
【請求項４】
上記開閉用部材がファスナーである請求項１ないし請求項３のいずれか１項に記載した座布団。
【請求項５】
上記カバー素材に、手提げ用のベルトが設けられている請求項１ないし請求項４のいずれか１項に記載した座布団。
【手続補正２】
【補正対象書類名】明細書
【補正対象項目名】０００８
【補正方法】変更
【補正の内容】
【０００８】
本考案は、上記の事情に鑑みてなされたものであり、座布団としての使用中に不意の降雨時に衣服として、たとえばレインコートとして使用することのできる対策を講じた座布団を提供することを目的とする。
【手続補正３】
【補正対象書類名】明細書
【補正対象項目名】０００９
【補正方法】変更
【補正の内容】
【０００９】
また、本考案は、座布団としての使用中に衣服として、たとえば防寒着としても使用することのできる対策を講じた座布団を提供することを目的とする。
【手続補正４】
【補正対象書類名】明細書
【補正対象項目名】００１１
【補正方法】変更
【補正の内容】
【００１１】
本考案に係る座布団は、クッション用素材とこのクッション用素材を内包するカバーとを備えている。そして、上記カバーが、平坦形状と二つ折り形状との間で展開折畳み可能に形成されたカバー素材と、このカバー素材を二つ折り形状に折り畳んだときにその合わせ縁部を閉じ合わせ、その折畳み状態から平坦形状に展開するときにその合わせ縁部を開放するための開閉用部材と、を備えている。また、上記クッション用素材が、折畳み状態の上記カバー素材に折り重ね状態で収容されてクッション性を発揮する柔軟な生地素材で形成されていて、その生地素材が、衣服としての構造を有して、展開状態の上記カバー素材から引き出されて展開されることにより衣服として着用可能であり、上記カバー素材は、それ自体がクッション性を備えていると共に、上記生地素材を衣服として着用したときの着用者の臀部に対応する箇所に、平坦形状に展開された状態で接合されている。
【手続補正５】
【補正対象書類名】明細書
【補正対象項目名】００２７
【補正方法】変更
【補正の内容】
【００２７】
クッション用素材として利用されている柔軟な生地素材３０は、柔軟なシート素材、或いは柔軟なフリース素材など、折畳み状態の上記カバー素材に折り重ね状態で収容されてクッション性を発揮する柔軟の生地素材３０であり、その生地素材３０が、衣服としての構造を有して、展開状態のカバー素材１１から引き出されて展開されることにより衣服として着用可能である。
図３又は図４においては、この柔軟な生地素材３０をシート素材３０ａとしレインコートの形状に作られている。そのため、スライダー１４ｃをスライド操作してファスナー１４を開き、カバー素材１１の合わせ縁部を開放してカバー素材１１を平坦に展開し、その状態でカバー素材１１からシート素材３０ａを引き出して展開することにより、シート素材３０ａを図３又は図４に示したようにレインコートとして使用することが可能になる。図例のシート素材３０ａによって製作されているレインコートは、着用者の胴体や上下肢を覆うコート本体部４１や着用者の頭部を覆うフード部４２を備えているけれども、シート素材３０ａによって製作されるレインコートの構成やデザインは図例に限定されないことは勿論である。
同様に、この柔軟なシート素材３０ａ（生地素材３０）をフリース素材とし防寒着として作ることも可能であり、フリース素材によって製作される防寒着の構成やデザインは限定されない。